【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
通信の方法であって、
第１のデバイスにおいて、近隣認識ネットワーク（ＮＡＮ）通信チャネルを介して同期ビーコンを受信することと、ここにおいて、前記同期ビーコンは同期情報を示す、
前記第１のデバイスにおいて、前記同期情報に基づいてＮＡＮデータリンク（ＮＤＬ）時間ブロックを決定することと、
前記第１のデバイスにおいて、第２のデバイスとネゴシエーションメッセージを交換することと、
前記第１のデバイスにおいて、前記ネゴシエーションメッセージに基づいて前記ＮＤＬ時間ブロックの間に第２の通信チャネルを介してトラフィックメッセージを送信すべきかどうかを決定することと、ここにおいて、前記第２の通信チャネルは、前記ＮＡＮ通信チャネルとは別個である、
を備える、方法。
【請求項２】
前記トラフィックメッセージが、前記ＮＤＬ時間ブロックの間に前記第１のデバイスが前記第２のデバイスへ送信すべきデータを有することを示すトラフィックアドバタイズメントを含む、請求項１に記載の方法。
【請求項３】
前記トラフィックメッセージが、前記ＮＤＬ時間ブロックの間に前記第１のデバイスが前記第２のデバイスへデータを送信しないことを示すトラフィックページを含む、請求項１に記載の方法。
【請求項４】
前記ネゴシエーションメッセージを交換することが、前記第２のデバイスに第１のネゴシエーションメッセージを送信すること、前記第２のデバイスから第２のネゴシエーションメッセージを受信すること、またはそれら両方を含む、請求項１に記載の方法。
【請求項５】
前記第１のネゴシエーションメッセージ、前記第２のネゴシエーションメッセージ、またはそれら両方が節電要求を示すと決定したことに応答して、前記ＮＤＬ時間ブロックの間に前記トラフィックメッセージを送信すると決定することをさらに備える、請求項４に記載の方法。
【請求項６】
データ送信と関連付けられる第２の優先度より高い第１の優先度を有する前記トラフィックメッセージを送信することをさらに備える、請求項５に記載の方法。
【請求項７】
第１のコンテンションウィンドウ（ＣＷ）値、第１の調停フレーム間空間（ＡＩＦＳ）値、またはそれら両方に基づいて前記トラフィックメッセージを送信することをさらに備え、前記第１のＣＷ値がデータ送信と関連付けられる第２のＣＷ値より低く、前記第１のＡＩＦＳ値が前記データ送信と関連付けられる第２のＡＩＦＳ値より低い、請求項５に記載の方法。
【請求項８】
前記ネゴシエーションメッセージがトラフィックアドバタイズメントに対応する第１の値を有するトラフィックアドバタイズメントインジケータを含むことと、前記第１のデバイスが前記ＮＤＬ時間ブロックの間に前記第２のデバイスへ送信すべきデータを有することを示す前記トラフィックアドバタイズメントを前記トラフィックメッセージが含むこととを決定したことに応答して、または、前記トラフィックアドバタイズメントインジケータがトラフィックページに対応する第２の値を有することと、前記第１のデバイスが前記ＮＤＬ時間ブロックの間にデータを前記第２のデバイスへ送信しないことを示す前記トラフィックページを前記トラフィックメッセージが含むこととを決定したことに応答して、前記ＮＤＬ時間ブロックの間に前記トラフィックメッセージを送信すると決定することをさらに備える、請求項１に記載の方法。
【請求項９】
前記ネゴシエーションメッセージが節電要求を示すと決定したことに応答して、第１の優先度を有する第１のデータを前記第２のデバイスへ送信することと、
前記ネゴシエーションメッセージが前記節電要求を示さないと決定したことに応答して、第２の優先度を有する前記第１のデータを前記第２のデバイスへ送信することとをさらに備え、
前記第２の優先度が前記第１の優先度より低い、請求項１に記載の方法。
【請求項１０】
前記ネゴシエーションメッセージが、提案されるＮＤＬスケジュール、前記提案されるＮＤＬスケジュールがネゴシエート可能であるかどうか、前記第２のデバイスが前記提案されるＮＤＬスケジュールの全体の間利用可能であると予想されるか、もしくは前記提案されるＮＤＬスケジュールの一部分の間利用可能であると予想されるか、前記第２のデバイスが前記提案されるＮＤＬスケジュールに部分的に関与するか、もしくは完全に関与するか、前記第１のデバイスと前記第２のデバイスとの間のデータリンクを確立するための少なくとも１つの条件、またはこれらの組合せを示すための１つまたは複数のフィールドを含み、前記少なくとも１つの条件が、データレート閾値、サービス品質（ＱｏＳ）閾値、チャネル通信能力、ワイヤレスフィデリティ（ＷｉＦｉ（登録商標））規格への適合、またはこれらの組合せを含む、請求項１に記載の方法。
【請求項１１】
前記ネゴシエーションメッセージがＮＤＬネゴシエーション属性を含み、前記ＮＤＬネゴシエーション属性がフィールドを含み、前記フィールドの特定の値が節電要求を示す、請求項１に記載の方法。
【請求項１２】
第１のＮＤＬグループへの参加の間に節電機構をサポートするかどうかを、前記第１のＮＤＬグループと関連付けられるサービスのタイプ、前記第１のＮＤＬグループのトポロジー、またはそれら両方に基づいて決定することをさらに備え、前記ネゴシエーションメッセージが、前記第１のデバイスが前記第１のＮＤＬグループへの参加の間に前記節電機構をサポートするかどうかを示す、請求項１に記載の方法。
【請求項１３】
前記ネゴシエーションメッセージがＮＤＬネゴシエーション属性を含み、前記第１のデバイスが前記ネゴシエーションメッセージの送信者に対応し、前記ＮＤＬネゴシエーション属性の特定の値が、前記第１のデバイスが第１のＮＤＬグループへの参加の間に節電機構をサポートすることを示す、請求項１に記載の方法。
【請求項１４】
命令を記憶するコンピュータ可読記憶デバイスであって、前記命令が、プロセッサによって実行されると、前記プロセッサに、請求項１〜１３のいずれかに記載の方法を実行させる、コンピュータ可読記憶デバイス。
【請求項１５】
通信のための装置であって、
第１のデバイスにおいて、近隣認識ネットワーク（ＮＡＮ）通信チャネルを介して同期ビーコンを受信するための手段と、ここにおいて、前記同期ビーコンは同期情報を示す、
前記第１のデバイスにおいて、前記同期情報に基づいてＮＡＮデータリンク（ＮＤＬ）時間ブロックを決定するための手段と、
前記第１のデバイスにおいて、第２のデバイスとネゴシエーションメッセージを交換するための手段と、
前記第１のデバイスにおいて、前記ネゴシエーションメッセージに基づいて前記ＮＤＬ時間ブロックの間に第２の通信チャネルを介してトラフィックメッセージを送信すべきかどうかを決定するための手段と、ここにおいて、前記第２の通信チャネルは、前記ＮＡＮ通信チャネルとは別個である、
を備える、装置。
【手続補正２】
【補正対象書類名】明細書
【補正対象項目名】０６１８
【補正方法】変更
【補正の内容】
【０６１８】
[0667]開示された態様の上記の説明は、当業者が開示された態様を製作または使用することを可能にするために提供されている。これらの態様への様々な修正が当業者には容易に明らかになり、本明細書で定義された原理が、本開示の範囲から逸脱することなく他の態様に適用され得る。したがって、本開示は、本明細書に示された態様に限定されることを意図されておらず、以下の特許請求の範囲によって定義される原理および新規な特徴と一致する可能な最も広い範囲を与えられるべきである。
以下に、本願の出願当初の特許請求の範囲に記載された発明を付記する。
［Ｃ１］
通信の方法であって、
第１のデバイスにおいて、第２のデバイスとネゴシエーションメッセージを交換することと、
前記第１のデバイスにおいて、前記ネゴシエーションメッセージに基づいて近隣認識ネットワーク（ＮＡＮ）データリンク（ＮＤＬ）時間ブロックの間にトラフィックメッセージを送信すべきかどうかを決定することと、
を備える、方法。
［Ｃ２］
前記トラフィックメッセージが、前記ＮＤＬ時間ブロックの間に前記第１のデバイスが前記第２のデバイスへ送信すべきデータを有することを示すトラフィックアドバタイズメントを含む、Ｃ１に記載の方法。
［Ｃ３］
前記トラフィックメッセージが、前記ＮＤＬ時間ブロックの間に前記第１のデバイスが前記第２のデバイスへデータを送信しないことを示すトラフィックページを含む、Ｃ１に記載の方法。
［Ｃ４］
前記ネゴシエーションメッセージを交換することが、前記第２のデバイスに第１のネゴシエーションメッセージを送信すること、前記第２のデバイスから第２のネゴシエーションメッセージを受信すること、またはそれら両方を含む、Ｃ１に記載の方法。
［Ｃ５］
前記第１のネゴシエーションメッセージ、前記第２のネゴシエーションメッセージ、またはそれら両方が節電要求を示すと決定したことに応答して、前記ＮＤＬ時間ブロックの間に前記トラフィックメッセージを送信すると決定することをさらに備える、Ｃ４に記載の方法。
［Ｃ６］
データ送信と関連付けられる第２の優先度より高い第１の優先度を有する前記トラフィックメッセージを送信することをさらに備える、Ｃ５に記載の方法。
［Ｃ７］
第１のコンテンションウィンドウ（ＣＷ）値、第１の調停フレーム間空間（ＡＩＦＳ）値、またはそれら両方に基づいて前記トラフィックメッセージを送信することをさらに備え、前記第１のＣＷ値がデータ送信と関連付けられる第２のＣＷ値より低く、前記第１のＡＩＦＳ値が前記データ送信と関連付けられる第２のＡＩＦＳ値より低い、Ｃ５に記載の方法。
［Ｃ８］
前記ネゴシエーションメッセージがトラフィックアドバタイズメントに対応する第１の値を有するトラフィックアドバタイズメントインジケータを含むことと、前記第１のデバイスが前記ＮＤＬ時間ブロックの間に前記第２のデバイスへ送信すべきデータを有することを示す前記トラフィックアドバタイズメントを前記トラフィックメッセージが含むこととを決定したことに応答して、または、前記トラフィックアドバタイズメントインジケータがトラフィックページに対応する第２の値を有することと、前記第１のデバイスが前記ＮＤＬ時間ブロックの間にデータを前記第２のデバイスへ送信しないことを示す前記トラフィックページを前記トラフィックメッセージが含むこととを決定したことに応答して、前記ＮＤＬ時間ブロックの間に前記トラフィックメッセージを送信すると決定することをさらに備える、Ｃ１に記載の方法。
［Ｃ９］
前記ネゴシエーションメッセージが節電要求を示すと決定したことに応答して、第１の優先度を有する第１のデータを前記第２のデバイスへ送信することと、
前記ネゴシエーションメッセージが前記節電要求を示さないと決定したことに応答して、第２の優先度を有する前記第１のデータを前記第２のデバイスへ送信することとをさらに備え、
前記第２の優先度が前記第１の優先度より低い、Ｃ１に記載の方法。
［Ｃ１０］
前記ネゴシエーションメッセージが、提案されるＮＤＬスケジュール、前記提案されるＮＤＬスケジュールがネゴシエート可能であるかどうか、前記第２のデバイスが前記提案されるＮＤＬスケジュールの全体の間利用可能であると予想されるか、もしくは前記提案されるＮＤＬスケジュールの一部分の間利用可能であると予想されるか、前記第２のデバイスが前記提案されるＮＤＬスケジュールに部分的に関与するか、もしくは完全に関与するか、前記第１のデバイスと前記第２のデバイスとの間のデータリンクを確立するための少なくとも１つの条件、またはこれらの組合せを示すための１つまたは複数のフィールドを含み、前記少なくとも１つの条件が、データレート閾値、サービス品質（ＱｏＳ）閾値、チャネル通信能力、ワイヤレスフィデリティ（ＷｉＦｉ（登録商標））規格への適合、またはこれらの組合せを含む、Ｃ１に記載の方法。
［Ｃ１１］
前記ネゴシエーションメッセージがＮＤＬネゴシエーション属性を含み、前記ＮＤＬネゴシエーション属性がフィールドを含み、前記フィールドの特定の値が節電要求を示す、Ｃ１に記載の方法。
［Ｃ１２］
前記フィールドが節電ビットを含む、Ｃ１１に記載の方法。
［Ｃ１３］
前記ネゴシエーションメッセージが、近隣認識ネットワーク（ＮＡＮ）サービス発見フレームフォーマットを有するフレーム、ＮＡＮ管理フレームフォーマットを有するフレーム、またはそれら両方に対応し、前記フレームがＮＤＬネゴシエーション属性を含み、前記ＮＤＬネゴシエーション属性の節電フィールドの特定の値が節電要求を示す、Ｃ１に記載の方法。
［Ｃ１４］
第１のＮＤＬグループへの参加の間に節電機構をサポートするかどうかを、前記第１のＮＤＬグループと関連付けられるサービスのタイプ、前記第１のＮＤＬグループのトポロジー、またはそれら両方に基づいて決定することをさらに備え、前記ネゴシエーションメッセージが、前記第１のデバイスが前記第１のＮＤＬグループへの参加の間に前記節電機構をサポートするかどうかを示す、Ｃ１に記載の方法。
［Ｃ１５］
前記ネゴシエーションメッセージがＮＤＬネゴシエーション属性を含み、前記第１のデバイスが前記ネゴシエーションメッセージの送信者に対応し、前記ＮＤＬネゴシエーション属性の特定の値が、前記第１のデバイスが第１のＮＤＬグループへの参加の間に節電機構をサポートすることを示す、Ｃ１に記載の方法。
［Ｃ１６］
第２のネゴシエーションメッセージを第３のデバイスに送信することをさらに備え、前記第２のネゴシエーションメッセージが、前記第１のデバイスが第２のＮＤＬグループへの参加の間に節電機構をサポートしないことを示す、Ｃ１に記載の方法。
［Ｃ１７］
命令を記憶するコンピュータ可読記憶デバイスであって、前記命令が、プロセッサによって実行されると、前記プロセッサに、
第１のデバイスにおいて、第２のデバイスとネゴシエーションメッセージを交換することと、
前記第２のデバイスからトラフィックメッセージを受信することと、
前記ネゴシエーションメッセージに基づいて前記トラフィックメッセージを選択的に処理することと
を備える動作を実行させる、コンピュータ可読記憶デバイス。
［Ｃ１８］
前記ネゴシエーションメッセージが節電要求を示すと決定したことに応答して、前記トラフィックメッセージが処理される、Ｃ１７に記載のコンピュータ可読記憶デバイス。
［Ｃ１９］
前記動作が、前記第２のデバイスが近隣認識ネットワーク（ＮＡＮ）データリンク（ＮＤＬ）時間ブロックの間にデータを前記第１のデバイスへ送信しないことを前記トラフィックメッセージが示すと決定したことに応答して、前記ＮＤＬ時間ブロックの残りの部分の間前記第１のデバイスを節電モードへ遷移することをさらに備える、Ｃ１８に記載のコンピュータ可読記憶デバイス。
［Ｃ２０］
前記動作が、１つまたは複数のデータ受信者が前記第１のデバイスを含まないと決定したことに応答して、近隣認識ネットワーク（ＮＡＮ）データリンク（ＮＤＬ）時間ブロックの残りの部分の間前記第１のデバイスを節電モードへ遷移することをさらに備え、前記トラフィックメッセージが、前記第２のデバイスによって前記１つまたは複数のデータ受信者へ送信されるべきデータのアベイラビリティを示す、Ｃ１８に記載のコンピュータ可読記憶デバイス。
［Ｃ２１］
通信のための装置であって、
デバイスにおいて、近隣認識ネットワーク（ＮＡＮ）サービス発見フレームフォーマットを有するフレーム、ＮＡＮ管理フレームフォーマットを有するフレーム、またはそれら両方を生成するように構成されたプロセッサと、ここで、前記フレームは、前記デバイスによって送信されるべきデータのアベイラビリティを示すトラフィックアナウンスメント属性を含む、
通信ウィンドウの間に前記フレームを送信するように構成された送信機と、
を備える、装置。
［Ｃ２２］
前記通信ウィンドウが、ＮＡＮ発見ウィンドウ、送信ウィンドウ、ページングウィンドウ、またはデータ送信ウィンドウを含む、Ｃ２１に記載の装置。
［Ｃ２３］
前記通信ウィンドウが、ＮＡＮデータリンク（ＮＤＬ）時間ブロックの初期部分に対応する、Ｃ２１に記載の装置。
［Ｃ２４］
前記ＮＤＬ時間ブロックの前記初期部分がページングウィンドウに対応する、Ｃ２３に記載の装置。
［Ｃ２５］
ＮＤＬグループが、連続するＮＡＮ発見ウィンドウとＮＡＮ発見ウィンドウとの間の発見間隔の間に存在するＮＤＬ時間ブロックのセットを含むスケジュールに関連付けられ、ＮＤＬ時間ブロックの前記セットが前記ＮＤＬ時間ブロックを含み、ＮＤＬ時間ブロックの前記セットが連続する発見間隔の間繰り返す、Ｃ２３に記載の装置。
［Ｃ２６］
前記トラフィックアナウンスメント属性が、属性識別子フィールド、長さフィールド、ＮＡＮデータリンク（ＮＤＬ）グループ識別子フィールド、トラフィックインジケータフィールド、またはこれらの組合せを含む、Ｃ２１に記載の装置。
［Ｃ２７］
前記トラフィックインジケータフィールドが、トラフィックインジケータのタイプ、前記トラフィックインジケータの長さ、トラフィックのアクセスカテゴリ、またはこれらの組合せを示し、前記トラフィックインジケータフィールドがトラフィックインジケータを含み、前記トラフィックインジケータが、ブルームフィルタ、トラフィック指示メッセージ（ＴＩＭ）、アナウンスメントトラフィック指示メッセージ（ＡＴＩＭ）、媒体アクセス制御（ＭＡＣ）アドレスインジケータのリスト、またはこれらの組合せを表すビットを含む、Ｃ２６に記載の装置。
［Ｃ２８］
前記トラフィックインジケータフィールドが、媒体アクセス制御（ＭＡＣ）アドレスインジケータのリストを含み、ＭＡＣアドレスインジケータの前記リストのアドレスインジケータが、ＭＡＣアドレスの少なくとも一部分、前記ＭＡＣアドレスに基づくハッシュ値、または前記ＭＡＣアドレスに基づく別の値を含む、Ｃ２６に記載の装置。
［Ｃ２９］
通信のための装置であって、
デバイスからフレームを受信するための手段と、ここで、前記フレームは、近隣認識ネットワーク（ＮＡＮ）サービス発見フレームフォーマット、ＮＡＮ管理フレームフォーマット、またはそれら両方を有する、
１つまたは複数の第２のデバイスへ前記デバイスによって送信されるべきデータのアベイラビリティを示すトラフィックアナウンスメント属性を前記フレームが含むと決定したことに基づいて、ＮＡＮデータリンク（ＮＤＬ）時間ブロックの間、通信チャネルを監視するための手段と、
を備える、装置。
［Ｃ３０］
受信するための前記手段および監視するための前記手段が、通信デバイス、音楽プレーヤ、ビデオプレーヤ、エンターテインメントユニット、ナビゲーションデバイス、携帯情報端末（ＰＤＡ）、モバイルデバイス、コンピュータ、デコーダ、またはセットトップボックスのうちの少なくとも１つに組み込まれる、Ｃ２９に記載の装置。